(57)【特許請求の範囲】
【請求項１】
地面にトレンチを掘削し気体を輸送する気体輸送管を該トレンチ内に配設して、土砂に水および固化材を混合した流動化処理土で該気体輸送管を地下に布設するにあたり、
前記気体輸送管の布設ラインに沿い、該気体輸送管上部と地表との間に、該気体輸送管上部と地表との間の気体の流通を助ける、該気体輸送管上部と地表との間に延びる複数の棒状、ひも状、あるいは管状の透気補助部材を布設することを特徴とする管布設方法。
【請求項２】
地面にトレンチを掘削し気体を輸送する気体輸送管を該トレンチ内に配設して、土砂に水および固化材を混合した流動化処理土で該気体輸送管を地下に布設するにあたり、
前記気体輸送管の布設ラインに沿い、該気体輸送管上部と地表との間に、該気体輸送管上部と地表との間の気体の流通を助ける該気体輸送管上部と地表との間に広がる腐食性の網状の透気補助部材を布設することを特徴とする管布設方法。
【発明の詳細な説明】
【０００１】
【発明の属する技術分野】
本発明は、流動化処理土で気体輸送管を地下に布設する管布設方法に関する。
【０００２】
【従来の技術】
最近、地面にトレンチを掘削してガス管などの気体輸送管を布設するにあたり、掘削した土砂に、土砂の重量の約半分の重量の水を混合し、これにセメント等の固化材を混合して流動化させた、いわゆる「流動化処理土」を埋戻し材として用いる工法が広く用いられるようになりつつある。
【０００３】
【発明が解決しようとする課題】
しかしながら、この流動化処理土は埋戻し後に、密実に固化するため（固さは周辺の土と同程度）、例えば、流動化処理土により地下に布設されたガス管が、何らかの原因により破損してガスが漏洩したような場合に、漏洩したガスは固化後の流動化処理土中を透過しないために、漏洩ガスは流動化処理土とガス管との境界面に沿って移動し、ガス管が流動化処理土以外の透気性のある埋戻し材と接する地点に至って始めて地上に拡散するという現象を起こすことがある。
【０００４】
図４は、従来法により流動化処理土で埋め戻されたガス管から漏洩したガスの挙動を示す模式図である。
【０００５】
図４に示すように、地下に布設されたガス管１が、布設個所に応じて流動化処理土２または通常の土砂３で埋め戻され、さらにその上を採石４およびアスファルト５で覆われている場合に、ガス管１が流動化処理土２で埋め戻されたＡ位置でガス漏洩が発生したとすると、埋戻し後の流動化処理土２は密実状態となっているため、漏洩ガス６は流動化処理土２中を上方に透過せずに、流動化処理土２とガス管１との境界面に沿って横方向に拡散する。漏洩ガス６が、通常の土砂３で埋め戻されたＢ位置に達すると、土砂３の中の砂や土の粒子間には適度の間隙が存在しているため、漏洩ガス６はこの間隙を通ってＢ位置上方の地表に拡散し、Ｃ位置においてそのガス臭によりガス漏洩が検知される。通常の都市ガスは空気よりも軽いため土砂３の中を直上に向かって拡散していくので、ガスが検知されたＣ位置の直下がガス漏洩位置であると錯覚されることが多く、真のガス漏洩位置を特定する上で誤った情報となりやすい。このように、ガス管１が流動化処理土２で埋め戻されている場合はガス漏洩位置を特定することは困難であり、迅速なガス漏洩修理に支障を来す場合がある。
【０００６】
本発明は、上記事情に鑑み、地下に布設した気体輸送管から気体が漏洩した場合に、その気体の透気性が保全される管布設方法を提供することを目的とする。
【０００７】
【課題を解決するための手段】
上記の目的を達成する本発明の第１の管布設方法は、
地面にトレンチを掘削し気体を輸送する気体輸送管をトレンチ内に配設して、土砂に水および固化材を混合した流動化処理土で気体輸送管を地下に布設するにあたり、
上記気体輸送管の布設ラインに沿い、気体輸送管上部と地表との間に、気体輸送管と地表との間の気体の流通を助ける透気補助部材を布設することを特徴とする。
【０００８】
ここで、上記透気補助部材が、上記気体輸送管上部と地表との間に延びる複数の棒状、ひも状、あるいは管状の部材であることが好ましい。
【０００９】
また、上記透気補助部材が、上記気体輸送管上部と地表との間に広がる腐食性の網状部材であることも好ましい態様である。
【００１０】
また、上記の目的を達成する本発明の第２の管布設方法は、
地面にトレンチを掘削し気体を輸送する気体輸送管をトレンチ内に配設して、気体輸送管を地下に布設するにあたり、
土砂に水および固化材を混合した流動化処理土に気泡を混入し、その気泡の混入された流動化処理土を埋戻し材として使用して上記気体輸送管を布設することを特徴とする。
【００１１】
【発明の実施の形態】
以下、本発明の実施形態について説明する。
【００１２】
図１は、本発明の管布設方法の第１の実施形態を示す模式図である。
【００１３】
この第１の実施形態は、本発明の第１の管布設方法についての実施形態の一つである。
【００１４】
この第１の実施形態では、地面にトレンチを掘削し気体を輸送する気体輸送管、例えばガス管をトレンチ内に配設して、土砂に水および固化材を混合した流動化処理土でガス管を地下に布設するにあたり、図１に示すように、ガス管１の布設ラインに沿い、ガス管１上部と地表７との間に、ガス管１と地表７との間の気体の流通を助ける透気補助部材８を布設する。この透気補助部材８としては、ガス管１上部と地表７との間に延びる複数の棒状、ひも状、あるいは管状の部材を用いることができる。これらの部材の材質は特定の材質に限定されない。透気補助部材８は、ガス管１の布設ラインに沿う全延長あるいはある間隔をおいて設置すればよい。
【００１５】
このように透気補助部材８を布設することにより、ガス管１からガスが漏洩しても、漏洩ガスは透気補助部材８を伝って漏洩位置直上の地上に拡散していく。透気補助部材８を間隔を置いて布設した場合は、地上の複数地点でガス濃度を測定することによりガス漏洩位置を概ね特定することができる。
【００１６】
次に、本発明の第２の実施形態について説明する。
【００１７】
図２は、本発明の管布設方法の第２の実施形態を示す模式図である。
【００１８】
この第２の実施形態もまた、本発明の第１の管布設方法についての実施形態の一つである。
【００１９】
この第２の実施形態では、地面にトレンチを掘削し気体を輸送する気体輸送管、例えばガス管をトレンチ内に配設して、土砂に水および固化材を混合した流動化処理土でガス管を地下に布設するにあたり、図２に示すように、ガス管１の布設ラインに沿い、ガス管１上部と地表７との間に、ガス管１と地表７との間の気体の流通を助ける透気補助部材９を布設する。この透気補助部材９としては、ガス管１上部と地表７との間に広がる腐食性の網状部材が用いられる。網状部材の材質は特定の材質に限定されないが、例えば、普通鋼あるいは軟鉄などで作られた、特に耐蝕処理の施されていない金網などを用いることが好ましい。
【００２０】
このようにガス管１上部と地表７との間に腐食性の透気補助部材９を布設すると、漏洩したガスは、透気性補助部材９（例えば金網）と流動化処理土２との境界面を通って、漏洩位置直上の地上に透気する。また、この透気補助部材９は腐食性がありやがて腐蝕により消滅するため、透気補助部材９が占有していた空間が空隙となり将来的にも漏洩ガスの透気空間として機能する。従って透気補助部材の腐食前後のいずれであっても、漏洩位置を容易に特定することができる。
【００２１】
次に、本発明の第３の実施形態について説明する。
【００２２】
図３は、本発明の管布設方法の第３の実施形態を示す模式図である。
【００２３】
この第３の実施形態は、本発明の第２の管布設方法についての実施形態の一つである。
【００２４】
この第３の実施形態では、地面にトレンチを掘削し気体を輸送する気体輸送管、例えばガス管をトレンチ内に配設して、ガス管を地下に布設するにあたり、土砂に水および固化材を混合した流動化処理土に気泡を混入し、その気泡の混入された流動化処理土を埋戻し材として使用して、図３に示すように、ガス管１を布設する。
【００２５】
こうすることにより、布設後のガス管１からガスが漏洩しても漏洩ガス６は、流動化処理土１０内の気泡を伝わって漏洩位置Ａ直上の位置Ｃに透気するので、漏洩位置を容易に特定することができる。
【００２６】
【発明の効果】
以上説明したように、本発明の第１の管布設方法によれば、地面にトレンチを掘削し、そのトレンチ内に気体輸送管を配設して、流動化処理土で気体輸送管を地下に布設するにあたり、気体輸送管の布設ラインに沿い、気体輸送管上部と地表との間に、気体輸送管と地表との間の気体の流通を助ける透気補助部材を布設することにより、流動化処理土の透気性を保全することができる。
【００２７】
また、本発明の第２の管布設方法によれば、地面にトレンチを掘削し、そのトレンチ内に気体輸送管を配設して、気体輸送管を地下に布設するにあたり、土砂に水および固化材を混合した流動化処理土に気泡を混入し、その気泡の混入された流動化処理土を埋戻し材として使用して気体輸送管を布設することにより、流動化処理土の透気性を保全することができる。
【図面の簡単な説明】
【図１】本発明の管布設方法の第１の実施形態を示す模式図である。
【図２】本発明の管布設方法の第２の実施形態を示す模式図である。
【図３】本発明の管布設方法の第３の実施形態を示す模式図である。
【図４】従来法により流動化処理土で布設されたガス管から漏洩したガスの挙動を示す模式図である。
【符号の説明】
１    ガス管
２、１０    流動化処理土
３    土砂
４    採石
５    アスファルト
６    漏洩ガス
７    地表
８，９    透気補助部材
【図１】
0003691974.tif 000002
【図２】
0003691974.tif 000003
【図３】
0003691974.tif 000004
【図４】
0003691974.tif 000005